(57)【要約】【課題】実物大またはこれに準じる大きさの試作モデルを木材や粘土によらず作成可能であり、実物の構造体と同様に各種部品の取り付け、作業内容や手順の確認に使用することができる新たな試作モデルの構造を提供する【解決手段】試作モデル１０の構造Ｓｐは、ベース部材１上に形成される立面部１１，１２と立面部の上部１３に形成される上面部１４とからなり、立面部は、第１材料によって所定の表面形状に成形された表面部材２１と、第２材料によって所定の内面形状に成形された内面部材２５とを含むとともに、表面部材と内面部材を所定厚み幅形状に保持するために所定形状に加工された間隙部材３０とによって一体に固定されており、表面部材と内面部材の少なくともいずれかが剛性を有する面部材２０である。【選択図】図１
2016018000.tif 000002
【特許請求の範囲】
【請求項１】
ベース部材上に形成される立面部と前記立面部上部に形成される上面部とからなる試作モデルの構造であって、
前記立面部は、
第１材料によって所定の表面形状に成形された表面部材と、
第２材料によって所定の内面形状に成形された内面部材とを含むとともに、
前記表面部材と前記内面部材を所定厚み幅形状に保持するために所定形状に加工された間隙部材とによって一体に固定されている
ことを特徴とする試作モデルの構造。
【請求項２】
前記表面部材と前記内面部材の少なくともいずれかが剛性を有する面部材である請求項１に記載の試作モデルの構造。
【請求項３】
前記剛性を有する面部材がＦＲＰよりなる請求項２に記載の試作モデルの構造遊技機。
【請求項４】
前記表面部材と前記内面部材とが直接または前記間隙部材を介して固定されている請求項１ないし３のいずれか１項に記載の試作モデルの構造。
【請求項５】
前記固定が、接着、クリップ止め、ねじ止め、またはボルトナット止めである請求項１ないし４のいずれか１項に記載の試作モデルの構造。
【請求項６】
前記ベース部材と前記立面部の剛性を有する面部材との間に補強部材が取り付けられた請求項１ないし５のいずれか１項に記載の試作モデルの構造。
【請求項７】
前記立面部の剛性を有する面部材に他部材を取り付けるための取付補強部材が備えられた請求項１ないし６のいずれか１項に記載の試作モデルの構造。
【請求項８】
前記左右の立面部の上部と前記上面部の剛性を有する面部材に該上面部及び該立面部の変形を防ぐための補強棒状部材が取り付けられた請求項１ないし７のいずれか１項に記載の試作モデルの構造。
【発明の詳細な説明】
【技術分野】
【０００１】
本発明は、試作モデルの構造に関し、特に原寸大の大きさに仕上げた試作モデルの構造に関する。
【背景技術】
【０００２】
製品開発に際し、設計図から試作品を実際に作成して外観、内部構造等を確認し、順次改良を重ねる必要がある。その場合、従来は設計図に従って木製や粘土製（クレイ）の試作モデルを仕上げていた。その後、ＣＡＤ／ＣＡＭの三次元データが利用され、直接原型の作成が可能となった。加えて、樹脂材料、加工装置等の進歩により試作モデルの作成は格段に簡略化、省力化された（特許文献１、２、３、４等参照）。しかしながら、既存の試作モデルは家庭用電化製品、機械部品、機械装置等の大きさに限られていた。これは原型を作成するための造形装置等による制約によるためである。
【０００３】
そのため、例えば、乗用車の車体等の実物大の試作モデルを作成する場合、現状、木材を組み合わせて切削したり、粘土を加工したりしながら形状を整えていた。木材、粘土から作成した試作モデルは、一般にほぼ完成状態の製品の表現に使用され、主に外観の確認に用いられている。
【０００４】
しかし、車体のフレーム、モノコック等は複雑かつ細い部分の多い構造体である。当該構造体の場合、木材のみでは強度維持が難しく、その分肉厚に仕上げる必要があった。それゆえ、木材等から当該構造体の試作モデルを作成したとしても、実際の形状を再現しているとは言い難い。現状、外形を確認するにとどまっていた。従って、実際に部品を取り付けたり、作業内容、手順等を確認したりすることに木製の試作モデルを用いることはできなかった。むろん、粘土から成形した試作モデルも同様である。
【０００５】
このようなことから、車体のフレーム、モノコック等の構造体の試作モデルにおいて、原寸大の大きさを得ることは難しく、縮尺モデルまたは形状を適度に変えたモデルにとどまっていた。しかしながら、製品開発の迅速化への対応から、原寸大の試作モデルを用いて実物の構造体と同様に各種部品の取り付けを行い、作業内容や手順等の確認に使用したいとの要望は極めて高い。
【０００６】
そこで、実物大の正確な試作モデルを比較的簡便に作成して、製品開発の効率化を図るべく、新たな木材や粘土に代わる試作モデルが切望されている。
【先行技術文献】
【特許文献】
【０００７】
【特許文献１】特許３１３７２６２号公報
【特許文献２】特開２００２−３４７１２７号公報
【特許文献３】特開２００３−１３６６０５号広報
【特許文献４】特許５２９０５５５号公報
【発明の開示】
【発明が解決しようとする課題】
【０００８】
本発明は前記の点に鑑みなされたものであり、実物大またはこれに準じる大きさの試作モデルについて、木材や粘土によらず作成可能であり、実物の構造体と同様に各種部品の取り付け、作業内容や手順の確認に使用することができ、製品開発の効率化に貢献する新たな試作モデルの構造を提供するものである。
【課題を解決するための手段】
【０００９】
すなわち、請求項１の発明は、ベース部材上に形成される立面部と前記立面部上部に形成される上面部とからなる試作モデルの構造であって、前記立面部は、第１材料によって所定の表面形状に成形された表面部材と、第２材料によって所定の内面形状に成形された内面部材とを含むとともに、前記表面部材と前記内面部材を所定厚み幅形状に保持するために所定形状に加工された間隙部材とによって一体に固定されていることを特徴とする試作モデルの構造に係る。
【００１０】
請求項２の発明は、前記表面部材と前記内面部材の少なくともいずれかが剛性を有する面部材である請求項１に記載の試作モデルの構造に係る。
【００１１】
請求項３の発明は、前記剛性を有する面部材がＦＲＰよりなる請求項２に記載の試作モデルの構造に係る。
【００１２】
請求項４の発明は、前記表面部材と前記内面部材とが直接または前記間隙部材を介して固定されている請求項１ないし３のいずれか１項に記載の試作モデルの構造に係る。
【００１３】
請求項５の発明は、前記固定が、接着、クリップ止め、ねじ止め、またはボルトナット止めである請求項１ないし４のいずれか１項に記載の試作モデルの構造に係る。
【００１４】
請求項６の発明は、前記ベース部材と前記立面部の剛性を有する面部材との間に補強部材が取り付けられた請求項１ないし５のいずれか１項に記載の試作モデルの構造に係る。
【００１５】
請求項７の発明は、前記立面部の剛性を有する面部材に他部材を取り付けるための取付補強部材が備えられた請求項１ないし６のいずれか１項に記載の試作モデルの構造に係る。
【００１６】
請求項８の発明は、前記左右の立面部の上部と前記上面部の剛性を有する面部材に該上面部及び該立面部の変形を防ぐための補強棒状部材が取り付けられた請求項１ないし７のいずれか１項に記載の試作モデルの構造に係る。
【発明の効果】
【００１７】
請求項１の発明に係る試作モデルの構造によると、ベース部材上に形成される立面部と前記立面部上部に形成される上面部とからなる試作モデルの構造であって、前記立面部は、第１材料によって所定の表面形状に成形された表面部材と、第２材料によって所定の内面形状に成形された内面部材とを含むとともに、前記表面部材と前記内面部材を所定厚み幅形状に保持するために所定形状に加工された間隙部材とによって一体に固定されているため、実物大またはこれに準じる大きさの試作モデルについて、木材や粘土によらず作成可能であり、実物の構造体と同様に各種部品の取り付け、作業内容や手順の確認に使用することができ、製品開発の効率化に貢献することができる。
【００１８】
請求項２の発明に係る試作モデルの構造によると、請求項１の発明において、前記表面部材と前記内面部材の少なくともいずれかが剛性を有する面部材であるため、ステンレス鋼板等の高強度を備えた構造体を模すことができる。
【００１９】
請求項３の発明に係る試作モデルの構造によると、請求項２の発明において、前記剛性を有する面部材がＦＲＰよりなるため、安価かつ試作品形状の作成も容易である。また、軽量でありながら極めて強度が高く、実際の鋼板に近似した感覚を得ることができる。
【００２０】
請求項４の発明に係る試作モデルの構造によると、請求項１ないし３のいずれかの発明において、前記表面部材と前記内面部材とが直接または前記間隙部材を介して固定されているため、試作モデルにおいてより実際の構造を忠実に再現することができる。
【００２１】
請求項５の発明に係る試作モデルの構造によると、請求項１ないし４のいずれかの発明において、前記固定が、接着、クリップ止め、ねじ止め、またはボルトナット止めであるため、表面部材と内面部材との固定に関して多様な固定態様を実現することができ、実際の構造における各種部材の取り付け方、取り付け方法（固定方法）を試作モデルにおいても再現できる。
【００２２】
請求項６の発明に係る試作モデルの構造によると、請求項１ないし５のいずれかの発明において、前記ベース部材と前記立面部の剛性を有する面部材との間に補強部材が取り付けられたため、試作モデルとベース部材との取り付けは容易となる。
【００２３】
請求項７の発明に係る試作モデルの構造によると、請求項１ないし６のいずれかの発明において、前記立面部の剛性を有する面部材に他部材を取り付けるための取付補強部材が備えられたため、面部材の穴を形成した部位の亀裂が回避される。
【００２４】
請求項８の発明に係る試作モデルの構造によると、請求項１ないし７のいずれかの発明において、前記左右の立面部の上部と前記上面部の剛性を有する面部材に該上面部及び該立面部の変形を防ぐための補強棒状部材が取り付けられたため、上面部が自重等により撓んだりして変形する場合に、その変形を適宜調整して、設計図どおりの形状に留めることができる。
【図面の簡単な説明】
【００２５】
【図１】本発明の試作モデルの構造の全体斜視図である。
【図２】図１のＰ部分の横断面模式図である。
【図３】図１のＱ部分の縦断面模式図である。
【図４】取付補強部材の全体斜視図及び縦断面図である。
【図５】取付補強部材の他の縦断面図である。
【図６】固定の例の断面模式図である。
【図７】固定の例の他の断面模式図である。
【図８】図１のＲ部分の拡大斜視図である。
【図９】図１のＲ部分の縦断面模式図である。
【図１０】補強棒状部材の拡大斜視図である。
【発明を実施するための形態】
【００２６】
図１の全体斜視図は試作モデルの構造Ｓｐであり、試作モデル１０はベース部材１の上に形成されている。図示のベース部材１は鋼材等からなる枠部２，３の組み合わせからなる。試作モデル１０はベース部材１の枠部２，３に固定される（後出の図３参照）。ベース部材の材質は鋼材以外にも、樹脂製や木製としてもよく、搬送や運搬用のパレット等も利用される。図示の試作モデル１０は、乗用車の実物大の車体フレーム（モノコック）を示した例である。以降、試作モデル１０は主に乗用車の車体用のためのモデルとして図示し説明する。
【００２７】
試作モデル１０は、請求項１の発明に規定するように、２面以上の立面部と上面部の組み合わせからなる。図示の立面部（サイド面部）は少なくとも右立面部１１と左立面部１２を備える。そして、右立面部１１及び左立面部１２の上部１３に上面部１４（ルーフ面部）が形成される。このように、試作モデル１０は各面部同士の接合により外殻状に構成される。立面部及び上面部の数、大きさ、及び形状は、試作モデルの対象となる乗用車の種類、意匠、または部品数等により適宜である。しかしながら、オープンカーを除く車体の試作モデルを構成するに際し、左右の側面部とルーフ面部は不可欠である。そこで、本発明においては立面部と、この立面部の上部に形成される上面部を必須としている。
【００２８】
試作モデル１０において、少なくとも立面部を構成する右立面部１１及び左立面部１２は、表面部材２１と内面部材２５とを含んで形成される。表面部材２１は第１材料によって所定の表面形状に形成される。図示において、車体側面では車体形状の試作モデルの外面側である。具体的には車体を構成する鋼板部分等に相当する。内面部材２５は第１材料とは異なる第２材料によって所定の内面形状に形成される。図示では、車体形状の試作モデルの内面側である。具体的には車体内に取り付ける内装材等に相当する。むろん、この例以外の車体部位にも適用される。
【００２９】
そして、請求項２の発明に規定するように、表面部材２１と内面部材２５のうち、少なくともいずれかは、剛性を有する面部材２０である。特に図示においては、車体の試作モデルの外殻となる表面部材２１が剛性を有する面部材２０である。表面部材２１は実際の車体のステンレス鋼板等の高強度を備えた構造体を模している。
【００３０】
このような剛性を有する面部材２０は、請求項３の発明に規定するように、ＦＲＰ（繊維強化プラスチック：Ｆｉｂｅｒ  Ｒｅｉｎｆｏｒｃｅｄ  Ｐｌａｓｔｉｃｓ）から形成される（以降、ＦＲＰと省略する。）。すなわち、第１材料はＦＲＰである。試作モデル１０において、表面部材２１の作成はＦＲＰ製とすることにより安価となる。同時に所望の試作品形状の作成も容易である。また、軽量でありながら極めて強度が高い。従って、実際の鋼板に近似した感覚を得ることができる。なお、剛性を有する面部材については、ＦＲＰ製とする以外にも適宜の強度維持が可能な樹脂材料を使用することができる。
【００３１】
内面部材２５は、表面部材２１と同様にＦＲＰ製の剛性を有する面部材とすることもできる。あるいは、異なる材質とすることもできる。図示の実施例の内面部材２５は主にポリアミド樹脂（ナイロン樹脂）、ポリプロピレン樹脂等を用いた加工品である。具体的には、内面部材２５はポリアミド樹脂の粉末にレーザーを照射しながら立体形状に造形した粉末造形物である。つまり、第２材料はポリアミド樹脂である。内面部材２５は極めて複雑な形状であり、また、実際の車体においても内装材は樹脂製品から形成される。そこで、極力実際の内装材の物性、柔軟性等の感触に近似した材質として、ポリアミド樹脂の粉末造形物が選択される。粉末造形は、公知のＣＡＤ／ＣＡＭのシステムとの連動により簡便に複雑な形状物に仕上げることができ、特に試作品作成に大きく貢献する。むろん、ポリアミド樹脂以外にも、各種の樹脂が第２材料として用いられる。
【００３２】
上面部１４については、表面部材２１と内面部材２５とを含む構造としても、表面部材２１のみとしてもよい。試作モデル１０（その構造Ｓｐ）の形態により、いずれとするかは適宜である。図中、符号１５は剛性を有する面部材でありルーフ面部材である。符号８０は補強棒状部材であり変形防止目的により上面部１４に取り付けられる。
【００３３】
図２はドアピラー付近の横断面模式図（端面）である（図１のＰ部分参照）。同図を例に表面部材２１と内面部材２５の接合関係を説明する。表面部材２１及び内面部材２５は互いに樹脂同士であることから、請求項４の発明に規定するように、表面部材２１及び内面部材２５の端部同士２１ｅ，２５ｅは直接固定される。端部同士は接着部位５１を介して相互に接着される。また、表面部材２１及び内面部材２５の形状から、両部材に囲まれる空間部１６（中空部位）が生じる。そこで、間隙部材３０が空間部１６に備えられ、同じく請求項４の発明に規定するように、表面部材２１及び内面部材２５は間隙部材３０を介して固定される。これらも接着部位５１を介して相互に接着される。間隙部材３０は表面部材２１及び内面部材２５を所定の厚み幅形状に保持するための部材である。表面部材２１及び内面部材２５に対応するため、所定形状に加工されている。
【００３４】
前述のとおり、表面部材２１及び内面部材２５は剛性を備えているものの樹脂製であり、変形しやすくなる部位がある。そこで、試作モデル１０における当該箇所の強度確保や変形防止の観点から、間隙部材３０が空間部１６に備えられる。間隙部材３０は主にケミカルウッド等と称される樹脂材料であり、硬質ウレタン樹脂をはじめとする各種の合成樹脂から形成される。間隙部材は比較的容易に加工することができ、試作品ごとに形状を整えやすい。なお、間隙部材には合成樹脂以外にも木材を用いてもよい。表面部材２１、間隙部材３０、及び内面部材２５の固定は接着であり、接着部位５１と同様に公知の接着剤が使用される。
【００３５】
表面部材２１と内面部材２５との固定により、試作モデルにおいてより実際の車体等の構造を忠実に再現することができる。なお、図２の部位は、車両のドアを取り付ける部位でもあるため、金属プレート１００が表面部材２１の凹部に収容されている。金属プレート１００は他の構造部材を接続するための台座となる。金属プレート１００は表面部材２１の背後（空間部１６側）からボルト１０１により固定される。
【００３６】
図３は試作モデル１０の下部とベース部材１との取り付け部位であり、図１のＱ部分の縦断面図模式図（端面）である。請求項６の発明に規定するように、ベース部材１と、試作モデル１０の立面部１１，１２の剛性を有する面部材２０、すなわち表面部材２１との間に補強部材６０が取り付けられる。図示の補強部材６０は、側面視Ｌ字状の金属部材であり、垂直部６１と水平部６２からなる。補強部材６０の水平部６２はベース側ボルト６４とベース側ナット６５により枠部３に固定される。また、補強部材６０の垂直部６１と表面部材２１は、金属プレート１００とともにボルト１０２により固定される。さらに、補強部材６０の水平部６２と表面部材２１は、低頭ボルト１０３により接続されて固定される。補強部材６０が備えられることにより、試作モデル１０とベース部材１との取り付けは容易となる。また、ベース部材１上の補強部材６０の位置を適宜変更することにより、多様な車種の形状に対応した試作モデル１０の取り付け固定も可能となる。
【００３７】
図３においても、表面部材２１と補強部材６０（垂直部６１）との間、また、表面部材２１とベース部材１との間に間隙部材３０が装着される。これは表面部材２１と補強部材６０等との安定性を高めるためである。加えて、ボルトによる締結時の圧力は吸収される。図示の間隙部材３０はその内部に各ボルトが挿通されている。間隙部材３０の形状加工や大きさは、試作モデル１０における表面部材２１及び内面部材２５の形状を考慮して規定される。図中、符号１０５はプレート穴部（タップ穴）である。
【００３８】
図４及び図５を用い、取付補強部材７０について説明する。取付補強部材７０は、請求項７の発明に規定するように、試作モデル１０の立面部１１，１２の剛性を有する面部材２０、すなわち図示ではＦＲＰよりなる表面部材２１に備えられる部品の一つである。取付補強部材７０の材質は適宜であり、金属製としても樹脂製としてもよい。この例では、内面部材２５と同じく取付補強部材７０はポリアミド樹脂（ナイロン樹脂）から形成される。この場合、粉末造形による形成としてもよい。
【００３９】
ＦＲＰ製の表面部材２１の剛性は向上するものの、裏打ち用の部材が無くボルト穴等の径の穴が穿設されると、その穿設部位（穴を形成した部位）から周囲に亀裂が生じやすくなる。特に穿設部位を補強する裏打ち用の部材が無い場合には、穿設部位のみで全ての荷重を支えなければならないためである。そのため、表面部材２１の亀裂の解消を図り、他の部材の取り付けをより容易にするために取付補強部材７０が備えられる。そして、取付補強部材７０の材質はＦＲＰよりも軟性に富む材質であるため、亀裂も回避される。
【００４０】
図４（ａ）の斜視図に示すように、取付補強部材７０は円盤状であり、面部材２０（表面部材２１）と接するフランジ部７１と、表面部材２１（面部材２０）を貫通する筒部７２を備える。さらに、図４（ｂ）の断面図からもよくわかるように、主にＦＲＰ製の表面部材２１（面部材２０）には取付補強部材７０の筒部７２の直径と同径の貫通穴２８が形成される。取付補強部材７０（フランジ部７１及び筒部７２）は接着部位５１を通じて貫通穴２８に接着され固定される。
【００４１】
取付補強部材７０の筒部７２の内側には内板部７３が備えられる。この内板部７３の中心に取付穴７４が形成される。図示の例では、クリップ５２が取付穴７４内に挿着されている。クリップ５２は内面部材またはその他の部材との固定に使用される。表面部材２１（面部材２０）をＦＲＰから形成する場合、実際の鋼板と比較すると強度は少なくなる。そこで、便宜上面部材（表面部材）はその肉厚を多くして形成される（厚さｔ１参照）。それゆえ、既存のクリップをそのまま挿着することができない。これに対して、取付補強部材７０の内板部７３の厚さは概ね実際の鋼板の厚さに等しく形成されている（厚さｔ２参照）。そのため、クリップを支障無く使用することができる。また、表面部材２１（面部材２０）の表面側２１ｆと、取付補強部材７０の筒部７２及び内板部７３との段差はほとんど無く平坦状である。段差を無くすことにより、表面部材２１（面部材２０）の表面を実際の鋼板と似せた態様としている。従って、試作モデルでありながら、より実際の構造体と同様に取り扱うことができる。符号２１ｂは表面部材２１（面部材２０）の裏面側である。
【００４２】
図５（ａ）の断面図は固定手段の他の例示である。表面部材２１（面部材２０）に備えられた取付補強部材７０にボルト５４とナット５５が締結されている。ナット５５は取付補強部材７０の筒部７２の内側に収容され、ボルト５４は表面側２１ｆの内板部７３から反対側のボルト５５に螺着する。図５（ｂ）の断面図は固定手段のさらに他の例示であり、スタッドボルト５６とナット５５との締結である。なお、スタッドボルト５６は適宜寸法に切断される。そして、ボルト５４またはスタッドボルト５６に内面部材２５またはその他の部材が接続、固定される。図中、符号５８はワッシャーである。
【００４３】
図５の例においても、表面部材をＦＲＰ製とした場合、取付補強部材を省略してそのままボルトナット止めとすると、ボルト穴の穿設部位から周囲に亀裂が生じやすくなる。特に、ボルトナット止めの固定方法では重量物が取り付けられることが多く、より大きな負荷がボルト穴の穿設部位に加わる。そこで、軟性に富む取付補強部材を介在させることによって周辺部分の亀裂は回避される。
【００４４】
図６及び図７の断面模式図は、請求項５の発明に規定する表面部材２１と内面部材２５との固定態様の例である。図６（ａ）では、表面部材２１と内面部材２５の間に間隙部材３０が置かれ、接着部位５１を介して相互に接着剤を用いて接着される。そして、内面部材２５側から間隙部材３０に対してねじ５３（ビス）が螺着される。ねじ５３のねじ山は内面部材２５とともに間隙部材３０に食い込むため、ねじ５３の固定は容易となる。
【００４５】
図６（ｂ）では、表面部材２１に内面部材２５が所定量重ねられる。そして、前出の取付補強部材７０を備えることなく表面部材２１にねじ５３が螺着される。特に図示の表面部材２１はＦＲＰ製である。本来的には、ねじ５３の螺着により表面部材２１に生じたねじ穴から亀裂が生じるようにも思われる。しかし、表面部材２１に密着して重ねられた内面部材２５がちょうど表面部材２１の裏打ち部材となる。そこでねじ５３の螺着による表面部材２１と内面部材２５の圧着が進み、ねじ５３周辺の荷重等は内面部材２５側にも分散される。そのため、表面部材上の亀裂のおそれを考慮する必要性は乏しい。
【００４６】
図７（ａ）では、ＦＲＰ製の表面部材２１に貫通穴２３が穿設され、内面部材２５にも貫通穴２７が穿設され、同時に内面部材２５の貫通穴２７にナット５５も収容される。表面部材２１に内面部材２５が所定量重ねられ、ボルト５４は貫通穴２３，２７を挿通してナット５５と螺合する。図示では前出の取付補強部材７０は省略されている。この図示からもわかるように、表面部材２１に密着して重ねられた内面部材２５は表面部材２１の貫通穴２３付近の裏打ち部材となる。そこで、ボルト５４とナット５５の締結時の荷重等は双方の積層部位を通じて分散されることとなり、表面部材上の亀裂のおそれはほぼ解消される。
【００４７】
図７（ｂ）では、ＦＲＰ製の表面部材２１に貫通穴２３が穿設される。そして、内面部材２５にも貫通穴２７が穿設され、同時に内面部材２５の貫通穴２７内にナット５５が埋設される。表面部材２１の貫通穴２３付近と内面部材２５の貫通穴２７付近は密着して重ねられる。ボルト５４は両貫通穴２３，２７を挿通して貫通穴２７内のナット５５と螺合する。図示でも前出の取付補強部材７０は省略されている。この図示においても、表面部材２１の貫通穴２３付近に密着して重ねられた内面部材２５は表面部材２１の貫通穴２３付近の裏打ち部材となる。そこで、ボルト５４とナット５５の締結時の荷重は双方の積層部位を通じて分散されることとなり、表面部材上の亀裂のおそれはほぼ解消される。
【００４８】
一連の図４ないし図７の説明からよくわかるように、表面部材２１と内面部材２５との固定に際しては、直接表面部材２１と内面部材２５とを固定することもでき、または間隙部材３０を介して固定することもできる。そして、表面部材２１と内面部材２５との固定については、接着（接着部位５１参照）、クリップ５２止め（図４参照）、ねじ５３止め（図６参照）、またはボルト５４とナット５５による締結（図５，７参照）の種々の固定方法を採用することができる。
【００４９】
以上のとおり、表面部材と内面部材との固定に関して多様な固定態様を実現することができる。そのため、例えば実際の車体の構造における各種部材の取り付け方、取り付け方法（固定方法）が、試作モデルにおいても容易に再現できる。このような利点は、木製や粘土製のモデルからは得ることができない。さらに、ＦＲＰの利用により試作モデルは軽量化し、かつ剛性も高められる。併せて、ＦＲＰに生じやすい亀裂の問題について、取付補強部材を使用することにより、当該使用部位の補強が簡単となる。
【００５０】
図１とともに図８ないし図１０を用い補強棒状部材８０について説明する。図８は前掲図１のＲ部分の拡大斜視図である。請求項８の発明に規定するように、補強棒状部材８０は、左右の立面部である右立面部１１及び左立面部１２の上部１３と、上面部１４の剛性を有する面部材（ルーフ面部材１５）に取り付けられる。ルーフ面部材１５は、前述の表面部材２１と対応し剛性を考慮してＦＲＰより形成される。そのため、試作モデル１０におけるルーフ部分の軽量化と強度維持を図ることができる。ただし、実際の鋼板よりは撓んだりして変形しやすい。そのため、上面部１４（ルーフ面部材１５）と、右立面部１１及び左立面部１２の変形を防ぐための梁として補強棒状部材８０は取り付けられている。
【００５１】
図８において、補強棒状部材８０は棒状部８１（水平部）と固定部８２（垂直部）を有する角形の鋼管である。図示では右立面部１１側に台座部９０が設けられる。固定部８２は台座部９０の収容部９２内に挿入される。台座部９０は前述の内面部材２５と同様の樹脂材料から形成される。台座部９０の形状再現性が考慮されるためである。そして、台座部９０は左右の立面部である右立面部１１及び左立面部１２の上部１３に取り付けられる。符号９３は固定ボルトである。
【００５２】
図９は台座部９０の縦断面模式図（端面）である。台座部９０の収容部９２は固定部８２と対応した角形のカップ状であり、その内部に固定ナット９１が埋設されている。台座部９０の外部から固定ボルト９３が挿通され固定ナット９１と螺合する。固定ボルト９３の先端は固定部８２と当接する。そこで、固定部８２と台座部９０（収容部９２）は強固に固定される。台座部９０には、保持部９４，９５が形成されている。保持部９４にはルーフ面部材１５は接続され、保持部９５には右立面部１１（上部１３）が接続される。なお、左立面部１２側においても対称形状で同様である（図示省略）。
【００５３】
図１０は補強棒状部材８０と上面部１４（ルーフ面部材１５）との関係を示す主要部斜視図である。図１０（ａ）に示すように、ルーフ面部材１５の所定位置に固定補助部材３５が設けられる。この例の固定補助部材３５は前出の間隙部材３０と同様の材質からなり、主にケミカルウッド等と称される硬質ウレタン樹脂をはじめとする各種の合成樹脂である。固定補助部材３５はルーフ面部材１５と接着により固定される。位置調整ボルト８５は補強棒状部材８０の棒状部８１を貫通して固定補助部材３５に固定されている。そして、調整ナット８６，８７は棒状部８１を貫通する位置調整ボルト８５に対して締結される。位置調整ボルト８５と螺合する調整ナット８６と８７はそれぞれ適量回される。
【００５４】
そこで、右立面部１１及び左立面部１２の上部１３にある上面部１４（ルーフ面部材１５）が自重等により撓んだりして変形することがある。そのような場合、ルーフ面部材１５の湾曲を適宜調整して、設計図どおりの形状に留める必要がある。そこで、位置調整ボルト８５と調整ナット８６，８７が使用され、ルーフ面部材１５と棒状部８１との距離は広げられたり狭められたりする。このことにより、ルーフ面部材１５の形状修正のための微調整が可能となる。
【００５５】
図１０（ｂ）では、棒状部８１に延長部８３がさらに備えられる。そして、位置調整ボルト８５は延長部８３を貫通しており、ここに調整ナット８６，８７が螺合される。仕組みは前述と同様である。補強棒状部材８０において、棒状部８１のみとするか、延長部８３を備えるとするのかは、上面部１４（ルーフ面部材１５）の大きさ、形状、意匠上の問題による。例えば、サンルーフを形成するルーフ面部材の場合、部材内に開口部が形成される。そのため、都合の良い位置に固定補助部材を接続することが難しい。しかし、棒状部に延長部を備えることにより、ルーフ面部材の都合の良い位置に固定補助部材は接続される。このことから、上面部（ルーフ面部材）の形状設計の自由度は制約されることなく、補強棒状部材を備えることにより、変形抑止に効果が発揮される。
【００５６】
図示し詳述した試作モデルの構造は、乗用車の実物大の車体フレーム（モノコック）を示した構造である。むろん、これ以外にも、鉄道、モノレール、ロープウエイ、ケーブルカー等の各種陸上輸送機械、航空機、ヘリコプター、クルーザーや漁船等の小型船舶等の試作モデルに適用可能である。さらには、ＣＴやＭＲＩ等の医療機器の試作モデル、加えて、大型遊具の試作モデル等への適用も可能である。
【産業上の利用可能性】
【００５７】
本発明の試作モデルの構造は、実物大またはこれに準じる大きさの試作モデルについて簡便な材料から作成可能であり、実際の構造体とほぼ同様の再現性を備える。従って、当該試作モデルを用いて各種の予行や確認が可能となり、製品開発の効率化に貢献する。
【符号の説明】
【００５８】
１  ベース部材
２，３  枠部
１０  試作モデル
１１  右立面部
１２  左立面部
１３  立面部の上部
１４  上面部
１５  ルーフ面部
１６  空間部
２０  面部材
２１  表面部材
２５  内面部材
３０  間隙部材
３５  固定補助部材
５１  接着部位
５２  クリップ
５３  ねじ
５４  ボルト
５５  ナット
６０  補強部材
６１  垂直部
６２  水平部
７０  取付補強部材
８０  補強棒状部材
８１  棒状部
８２  固定部
８３  延長部
８５  位置調整ボルト
８６，８７  調整ナット
９０  台座部
９２  収容部
１００  金属プレート
Ｓｐ  試作モデルの構造
【図１】
2016018000.tif 000003
【図２】
2016018000.tif 000004
【図３】
2016018000.tif 000005
【図４】
2016018000.tif 000006
【図５】
2016018000.tif 000007
【図６】
2016018000.tif 000008
【図７】
2016018000.tif 000009
【図８】
2016018000.tif 000010
【図９】
2016018000.tif 000011
【図１０】
2016018000.tif 000012